(57)【要約】【課題】表示領域を可能な限り大きく確保し、かつ簡便な構成で光漏れを抑止することにより、高い表示品質を有する表示装置を提供する。【解決手段】本発明の表示装置１０は、表示領域ＡＡを有する表示パネル１１と、前記表示パネル１１の周縁部を覆う非透光性のベゼル１３と、前記表示パネル１１に光を供給する照明装置１２と、を備え、前記表示パネル１１は、前記表示領域ＡＡの外周部に遮光部５７を有し、前記照明装置１２の非作動時には、前記ベゼル１３のうち前記表示領域ＡＡ側の端部である内側端部１３ｃが、前記遮光部５７の内縁部５７ａより前記表示領域ＡＡ側に位置してなる一方、前記照明装置１２の作動時には、前記ベゼル１３の前記内側端部１３ｃが、少なくとも前記遮光部５７の外縁部５７ｂより前記表示領域ＡＡ側に位置してなることを特徴とする。【選択図】図７
2009229887.tif 000002
【特許請求の範囲】
【請求項１】
表示領域を有する表示パネルと、前記表示パネルの周縁部を覆う非透光性のベゼルと、前記表示パネルに光を供給する照明装置と、を備え、
前記表示パネルは、前記表示領域の外周部に、前記照明装置から供給される光を遮る遮光部を有し、
前記遮光部は、前記表示領域側の端部が内縁部、その反対側の端部が外縁部とされ、
前記照明装置の非作動時には、前記ベゼルのうち前記表示領域側の端部である内側端部が、前記遮光部の前記内縁部より前記表示領域側に位置してなる一方、
前記照明装置の作動時には、前記ベゼルの前記内側端部が、少なくとも前記遮光部の前記外縁部より前記表示領域側に位置してなることを特徴とする表示装置。
【請求項２】
前記ベゼルの前記内側端部が、前記遮光部の前記内縁部より前記表示領域側に位置している場合には、前記表示領域のうち前記ベゼルと重畳する部分が黒表示されることを特徴とする請求項１に記載の表示装置。
【請求項３】
前記ベゼルの前記内側端部が、前記遮光部の前記内縁部より前記表示領域側に位置している場合には、前記表示領域のうち前記ベゼルと重畳した部分を除いた表示可能領域において表示可能な大きさに画像を縮小して表示することを特徴とする請求項１に記載の表示装置。
【請求項４】
前記ベゼルの前記内側端部の位置を検出する位置検出部を備えることを特徴とする請求項２又は請求項３に記載の表示装置。
【請求項５】
当該表示装置の温度を検出する温度検出部を備え、当該温度検出部により検出された検出温度Ｔに基づいて前記ベゼルの前記内側端部の位置を特定することを特徴とする請求項２又は請求項３に記載の表示装置。
【請求項６】
前記検出温度Ｔ、前記ベゼルの線膨張係数α１、及び前記表示パネルのうち前記遮光部が形成された部材の線膨張係数α２から前記ベゼルの前記内側端部の位置を計算する位置計算部を備えることを特徴とする請求項５に記載の表示装置。
【請求項７】
前記ベゼルの線膨張係数α１は、前記表示パネルのうち前記遮光部が形成された部材の線膨張係数α２より大きいことを特徴とする請求項１から請求項６のいずれか１項に記載の表示装置。
【請求項８】
前記表示パネルは、一対の基板と、これら基板間に挟持される液晶層とを備えることを特徴とする請求項１から請求項７のいずれか１項に記載の表示装置。
【請求項９】
請求項１から請求項８のいずれか１項に記載の表示装置を備えることを特徴とするテレビ受信装置。
【発明の詳細な説明】
【技術分野】
【０００１】
本発明は、表示装置、及びテレビ受信装置に関する。
【背景技術】
【０００２】
非発光型の液晶パネルと、この液晶パネルに対して光を照射する照明装置としてのバックライト装置とを備える液晶表示装置が知られている。このような液晶表示装置では、液晶パネルの表示面側の周縁部に、例えば額縁状のフレームが配され、液晶パネルが当該ベゼルとバックライト装置との間に挟持されることで略固定された構成を有するものが公知である（特許文献１参照）。
【特許文献１】特開２００６−１６３７４２公報
【発明の開示】
【発明が解決しようとする課題】
【０００３】
特許文献１に開示された表示装置では、額縁状フレームの内縁にテーパー部又は薄肉部が形成され、当該テーパー部又は薄肉部は、表示パネルの画像表示面側において、画像表示面より外側に位置し、さらに、画像表示面の外縁を画する枠縁状の遮光膜の外縁よりも内側に位置する構成とされている。表示パネルの周囲に形成された遮光膜は、画像表示面周縁での光漏れを防止するために設けられており、当該遮光膜の一部と、額縁状フレームの一部とが重畳する構成とされることにより、確実に光漏れを防止することが可能とされている。
【０００４】
ところで、一般に、液晶パネルは一対のガラス基板間に液晶層が挟持されてなる構成とされる一方、その周縁部に配されるフレームは強度付与の観点から金属製とされることが多く、比較的大きい線膨張係数を有する金属製フレームと、比較的小さい線膨張係数を有するガラス基板との間に線膨張係数の差異が生じる。液晶表示装置は、バックライト装置の作動時、すなわち当該液晶表示装置の使用時には、バックライト装置の発熱により全体として高温となる。かかる高温状態においては、両者の線膨張係数の差異に起因して、フレームが液晶パネルに比してより大きく変形し、両者の相対的な位置関係にずれが生じることがある。
【０００５】
特に、近年開発が進められている大型の液晶表示装置においては、液晶パネル及びフレームも大型化するため、両者の線膨張係数の差異に起因した相対的な位置の変位もより大きいものとなる。その結果、上記特許文献１に開示のように、バックライト装置が作動しない液晶表示装置の非使用時には互いの一部が重畳していた遮光膜とフレームとが、当該液晶表示装置の使用時には、フレームが液晶パネルよりも大きく外側に変形するために、互いに重畳する部分をもたない状態となる場合が生じ得る。すなわち、フレームの内縁が、液晶パネルの周縁に形成された遮光膜の外縁よりも外側に位置した状態となり、平面視した場合に両者の間に空隙が形成され得る。その結果、当該空隙から光漏れが生じて、視認者に輝点として視認されることとなり、当該液晶表示装置の表示品質を低下させることがある。
【０００６】
かかる光漏れを抑止するために、遮光膜を十分大きいものとして、フレームが変位した場合にも、遮光膜とフレームとが重畳する部分を有する構成とすることも考えられる。しかしながら、遮光膜が形成された部分は画像を表示することができない非表示領域とされるため、遮光膜を大きくすることは、液晶パネルの大きさに対して画像を表示する表示領域の面積を相対的に小さくすることに繋がり、商品価値を低下させることとなる。
【０００７】
本発明は、上記のような事情に基づいてなされたものであって、表示領域を可能な限り大きく確保し、かつ簡便な構成で光漏れを抑止することにより、高い表示品質を有する表示装置を提供することを目的としている。また、本発明は、そのような表示装置を備えたテレビ受信装置を提供することを目的としている。
【課題を解決するための手段】
【０００８】
上記課題を解決するために、本発明の表示装置は、表示領域を有する表示パネルと、前記表示パネルの周縁部を覆う非透光性のベゼルと、前記表示パネルに光を供給する照明装置と、を備え、前記表示パネルは、前記表示領域の外周部に、前記照明装置から供給される光を遮る遮光部を有し、前記遮光部は、前記表示領域側の端部が内縁部、その反対側の端部が外縁部とされ、前記照明装置の非作動時には、前記ベゼルのうち前記表示領域側の端部である内側端部が、前記遮光部の前記内縁部より前記表示領域側に位置してなる一方、前記照明装置の作動時には、前記ベゼルの前記内側端部が、少なくとも前記遮光部の前記外縁部より前記表示領域側に位置してなることを特徴とする。
【０００９】
このような構成によれば、表示パネルに形成された遮光部と、非透光性のベゼルとが、互いに重畳する部分を有するものとされているため、これらが重畳して設けられた部分では、遮光部とベゼルとにより光の進路が遮られることとなり、表示パネルの表示領域面において、照明装置から供給される光の意図しない光漏れを抑止することが可能となる。
照明装置の作動時、つまり当該表示装置の使用時には、照明装置の発熱により当該表示装置全体が高温（およそ２０℃〜５０℃）となる。このとき、ベゼルの線膨張係数α１と、遮光部が形成された部材の線膨張係数α２とが異なる値とされた場合には、ベゼルと当該部材との変形量（延出量）が異なるため、両者の相対的な位置関係にずれが生じることとなる。例えば、ベゼルの線膨張係数α１が、表示パネルの遮光部が形成された部材の線膨張係数α２より大きい場合には、表示領域面において、ベゼルが表示パネルより大きく外側に変形することとなる。その結果、特に当該表示装置が大型のものとされた場合においては、照明装置の非作動時（およそ０℃〜２０℃）にはベゼルと遮光部とが互いに重畳する部分を有していたものが、作動時にはベゼルが遮光部より外側に移動（変位）してしまい、互いに重畳する部分をもたない状態となる場合がある。すなわち、ベゼルの内側端部が、遮光部の外縁部よりも外側に位置した状態となり、平面視した場合に両者の間に空隙が形成され得る。その結果、表示パネルにおいて、照明装置から供給された光が、当該空隙から漏れて輝点として視認されるため、当該表示装置の表示品質を低下させることがある。
【００１０】
ここで、当該表示装置の温度に拘らず、ベゼルと遮光部とが確実に重畳する部分を有するものとするために、例えば遮光部の大きさを十分に大きく（幅広に）することも考えられる。しかしながら、遮光部を相対的に大きくすることは、つまり表示パネルの非表示領域が相対的に大きくなる（広額縁化する）ことであり、表示領域が相対的に小さいものとなるため好ましくない。逆に、遮光部を相対的に大きくしつつ所定の表示領域を確保するためには、相対的に大きい表示パネルを準備する必要があるため、当該表示装置のコストが増大してしまう。
また、ベゼルと遮光部との変形量の差異を計算し、当該変形量相当の大きさの遮光部を形成することも考えられる。これによれば、照明装置の非作動時にはベゼルの内側端部が遮光部の内縁部の位置と一致し、作動時において最高温度となる時にはベゼルの内側端部が遮光部の外縁部の位置と一致するものとなり、表示パネルの広額縁化をできる限り抑制することが可能となる。しかしながら、このような構成は、設計の誤差により光漏れを許容するおそれがあり、さらに、当該表示装置内で乱反射することにより遮光部の脇（表示領域側とは反対側）を回りこんでくる光（以下、迷光ともいう）を遮ることが困難となる。
【００１１】
そこで、本発明者が鋭意検討した結果、照明装置の非作動時又は作動直後のように、当該表示装置が相対的に低温とされる場合には、ベゼルの内側端部が、遮光部の内縁部より表示領域側に位置してなるものとすることが好適であることを見出した。このような構成によれば、遮光部を相対的に大きくすることなく、すなわち非表示領域の狭額縁化により表示領域を可能な限り大きく確保しつつ、照明装置から供給される光の意図しない光漏れを抑止することが可能となる。ここで、表示領域とベゼルとが重なる部分においては表示画像が視認し難いものとされるものの、照明装置を作動させて当該表示装置が高温となるまでの時間は僅かなものであり、表示品質への影響は小さいと考えられる。
【００１２】
さらに、当該表示装置の使用時、つまり照明装置が作動することで相対的に高温となり、ベゼルと、表示パネルの遮光部が形成された部材との線膨張係数α１、α２の差に起因する両者の相対的な位置のずれが生じた場合にも、ベゼルの内側端部が少なくとも遮光部の外縁部より表示領域側に位置してなるものとした。これにより、遮光部とベゼルとは、当該表示装置の温度に拘らず、常に互いに重畳する部分を有してなるため、照明装置から表示パネルに供給された光は、遮光部又はベゼルにより遮光されることとなる。また、迷光に対しても、本発明の構成によれば、遮光部にその一部が重畳してなるベゼルにより迷光の進路が遮られるため、当該迷光が表示装置外へ漏れることはない。したがって、視認者に輝点として視認される光漏れを抑止することができ、高い表示品質を実現することが可能となる。
【００１３】
また、本発明の表示装置において、前記ベゼルの前記内側端部が、前記遮光部の前記内縁部より前記表示領域側に位置している場合には、前記表示領域のうち前記ベゼルと重畳する部分が黒表示されるものとすることができる。
【００１４】
このように、ベゼルの内側端部が遮光部の内縁部より表示領域側に位置している場合、表示領域の端部はベゼルにより覆われた状態となる。このとき、表示領域の端部に画像を表示すると、特に明度の大きい色で表示された場合に、表示領域とベゼルとの境界に線状模様が出現して表示品質を低下させる場合がある。しかしながら、本発明の構成によれば、表示領域のうちベゼルと重畳する部分を黒表示させるものとされているため、上記した線状模様の出現を防止することができ、高い表示品質を実現することが可能となる。また、かかる構成によれば、表示画像の端部が黒表示されることとなるが、線状模様が出現する場合に比して表示品質への影響が小さく、高い表示品質を維持することが可能となる。特に、当該表示装置をテレビ受信装置に用いる場合には、視認者には当該黒表示は視認され難く、テレビ画像の表示品質を損なうことはない。
【００１５】
また、前記ベゼルの前記内側端部が、前記遮光部の前記内縁部より前記表示領域側に位置している場合には、前記表示領域のうち前記ベゼルと重畳した部分を除いた表示可能領域において表示可能な大きさに画像を縮小して表示するものとすることができる。
【００１６】
このような構成によれば、表示領域に比して、これとベゼルとが重畳した部分の面積分小さくなる表示可能領域において、もとの画像の端部を欠くことなく、画像全体を表示することが可能となる。
【００１７】
また、前記ベゼルの前記内側端部の位置を検出する位置検出部を備えるものとすることができる。
また、当該表示装置の温度を検出する温度検出部を備え、当該温度検出部により検出された検出温度Ｔに基づいて前記ベゼルの前記内側端部の位置を特定するものとすることができる。特に、検出温度Ｔ、前記ベゼルの線膨張係数α１、及び前記表示パネルのうち前記遮光部が形成された部材の線膨張係数α２から前記ベゼルの前記内側端部の位置を計算する位置計算部を備えるものとすることができる。
【００１８】
このように、位置検出部、又は、温度検出部や位置計算部を設けることにより、ベゼルの内側端部の位置を特定することができ、当該位置に応じて、表示領域の黒表示を行う部分を決定したり、表示画像の縮小率を決定したりすることが可能となる。
【００１９】
また、前記ベゼルの線膨張係数α１は、前記表示パネルのうち前記遮光部が形成された部材の線膨張係数α２より大きいものとすることができる。
【００２０】
ベゼルの線膨張係数α１が、表示パネルのうち遮光部が形成された部材の線膨張係数α２より大きいものとされると、当該表示装置の使用時に、ベゼルが遮光部より外側に変位することで両者の間に空隙が生じ易く、その結果、光漏れが生じ易くなる。そこで、線膨張係数α１、α２の大小関係が上記のようにされた場合に、本発明に係るベゼルの内側端部と、遮光部の内縁部及び外縁部との相対的な位置関係とすることにより、当該光漏れを好適に抑止することが可能となる。
【００２１】
前記表示パネルとしては、一対の基板と、これら基板間に挟持される液晶層とからなる液晶パネルを例示することができる。このような表示装置は液晶表示装置として、種々の用途、例えばテレビやパソコンのデスクトップ画面等に適用でき、特に大型画面用として好適である。
【００２２】
また、本発明のテレビ受信装置は、上記表示装置を備えることを特徴とする。
このようなテレビ受信装置によると、光漏れが抑止された高い表示品質を有する表示装置を用いてなるため、輝点が視認されない高品質なテレビ画像を提供することが可能となる。
【発明の効果】
【００２３】
本発明の表示装置によると、簡便な構成で光漏れを抑止することができ、高い表示品質を実現することが可能となる。また、本発明のテレビ受信装置によると、光漏れが抑止された表示装置を用いてなるため、輝点が視認されない高品質なテレビ画像を提供することが可能となる。
【発明を実施するための最良の形態】
【００２４】
＜実施形態１＞
本発明の実施形態１を図１ないし図１０によって説明する。本実施形態では、液晶表示装置１０を備えるテレビ受信装置ＴＶについて例示する。
図１は本実施形態に係るテレビ受信装置の概略構成を示す分解斜視図、図２は液晶表示装置の概略構成を示す分解斜視図、図３は図２の液晶表示装置の短辺方向に沿った断面構成を示す断面図、図４は図２の液晶表示装置の長辺方向に沿った断面構成を示す断面図である。
【００２５】
本実施形態に係るテレビ受信装置ＴＶは、図１に示すように、液晶表示装置１０と、当該液晶表示装置１０を挟むようにして収容する表裏両キャビネットＣＡ，ＣＢと、電源Ｐと、テレビ放送などを受信するためのチューナーＴＮと、スタンドＳとを備えて構成される。液晶表示装置（表示装置）１０は、全体として横長の方形をなし、縦置き状態で収容されている。この液晶表示装置１０は、図２に示すように、表示パネルである液晶パネル１１と、外部光源であるバックライト装置（照明装置）１２とを備え、これらがベゼル１３などにより一体的に保持されるようになっている。
【００２６】
次に、液晶表示装置１０を構成する液晶パネル１１及びバックライト装置１２について説明する（図２ないし図４参照）。
【００２７】
バックライト装置１２は、所謂直下型のバックライト装置であって、液晶パネル１１のパネル面（すなわち表示面）の背面直下に、当該パネル面に沿って光源（ここでは高圧放電管として冷陰極管１７を用いている）を複数具備した構成となっている。
【００２８】
さらに、バックライト装置１２は、上面側に開口部１４ｂを有した略箱型をなすシャーシ１４と、シャーシ１４の開口部１４ｂを覆うようにして取り付けられる拡散板１５ａ及び光学シート１５ｂと、これら拡散板１５ａ及び光学シート１５ｂをシャーシ１４に保持するためのフレーム１６とを備える。さらに、シャーシ１４内には、冷陰極管１７と、冷陰極管１７をシャーシ１４に取り付けるためのランプクリップ１８と、冷陰極管１７の端部を支持して当該冷陰極管１７と後述するインバータ基板３０との電気的接続を中継する中継コネクタ１９と、冷陰極管１７群の端部及び中継コネクタ１９を一括して覆うホルダ２０とを備える。なお、当該バックライト装置１２においては、冷陰極管１７よりも拡散板１５ａ側が光出射側となっている。
【００２９】
シャーシ１４は、金属製とされ、矩形状の底板とその各辺から立ち上がる側面とからなる浅い略箱型に形成されている。このシャーシ１４には、冷陰極管１７の光出射側とは反対側（シャーシ１４の底板の内面側）に反射シート２１が配設され、これにより光反射面が形成されている。
【００３０】
反射シート２１は、合成樹脂製とされ、その表面が光反射性に優れた白色とされており、図３に示すように、シャーシ１４の内面に沿ってそのほぼ全域を覆うように敷かれて一体化され、シャーシ１４の壁面を構成している。この反射シート２１により、冷陰極管１７から出射された光を拡散板１５ａ側に反射させることが可能となっている。
【００３１】
また、シャーシ１４のうち冷陰極管１７及び反射シート２１が配設された側と反対側の面（シャーシ１４の底板の外面）には、シャーシ１４の長辺方向における両端部にインバータ基板３０が取り付けられ、長辺方向における中央部に制御基板３１が取り付けられている（図２参照）。インバータ基板３０は、冷陰極管１７に対する駆動電力として高周波電圧を生成するトランス等の回路部品を備え（図示せず）、冷陰極管１７に電力を供給する。一方、制御基板３１は、液晶パネル１１へ送信される映像信号を生成する回路部品を備え（図示せず）、当該液晶パネル１１の表示制御を行う。
【００３２】
冷陰極管１７は、細長い管状をなしており、その長さ方向（軸方向）をシャーシ１４の長辺方向と一致させた状態で、かつ多数本が互いに平行に並んだ状態でシャーシ１４内に収容されている（図２及び図４参照）。冷陰極管１７は、白色を呈する合成樹脂製のランプクリップ１８に把持されることで、シャーシ１４（反射シート２１）との間に僅かな間隙が設けられた状態とされている。冷陰極管１７の各端部は中継コネクタ１９に嵌め込まれ、これら中継コネクタ１９を被覆するようにホルダ２０が取り付けられている。
【００３３】
ホルダ２０は、白色を呈する合成樹脂製とされ、シャーシ１４の短辺方向に沿って延びる細長い略箱型をなしている（図２参照）。当該ホルダ２０は、図４に示すように、その表面側に拡散板１５ａを載置可能な階段状面を有するものとされている。
【００３４】
一方、シャーシ１４の開口部１４ｂ側には拡散板１５ａ及び光学シート１５ｂが配設されている。拡散板１５ａは、合成樹脂製の板状部材に光散乱粒子が分散配合されてなり、線状光源たる冷陰極管１７から出射される線状の光を拡散する機能を有する。拡散板１５ａの短辺縁部は上記したようにホルダ２０の階段面上に載置され、長辺縁部はシャーシ１４の縁部に載置されている（図３参照）。
【００３５】
拡散板１５ａ上に配される光学シート１５ｂは、拡散板１５ａ側から順に、拡散シート、レンズシート、反射型偏光板が積層されたものであり、冷陰極管１７から出射され、拡散板１５ａを通過した光を面状の光とする機能を有する。当該光学シート１５ｂの周縁部の上面側にはフレーム１６が設置され、当該フレーム１６とベゼル１３に挟持されるようにして液晶パネル１１が配置されている。
【００３６】
続いて、液晶パネル１１について説明する。図５は液晶パネルの画面中央側部分の拡大断面図、図６は図５液晶パネルに備わるアレイ基板の拡大平面図である。
液晶パネル１１は、図５に示すように、一対の横長な矩形状をなす基板４１，４２と、両基板４１，４２間に介在し、電圧印加に伴って光学特性が変化する液晶層４３とを備えている。
【００３７】
両基板４１，４２は、表側（正面側、表示側）がＣＦ基板４１とされ、裏側（背面側）がアレイ基板４２とされる。アレイ基板４２には、図６に示すように、透明な（透光性を有する）ガラス基板４２ａの内面側（液晶層４３側、ＣＦ基板４１との対向面側）に、スイッチング素子であるＴＦＴ４４（Thin Film Transistor）及び画素電極４５が多数個並んで設けられている。これらＴＦＴ４４及び画素電極４５の周りには、格子状をなすゲート配線４６及びソース配線４７が取り囲むようにして配設されている。画素電極４５は、ＴＦＴ４４のドレイン電極に、ソース配線４７は、ＴＦＴ４４のソース電極に、ゲート配線４６は、ＴＦＴ４４のゲート電極にそれぞれ接続されている。画素電極４５は、ＩＴＯ（Indium Tin Oxide）或いはＺｎＯ（Zinc Oxide）といった透明電極からなる。また、アレイ基板４２及びゲート配線４６の表面には、図５に示すように、絶縁層４８が形成され、この絶縁層４８の表面に画素電極４５が形成され、さらに画素電極４５の表面に液晶層４３を配向するための配向膜４９が形成されている。
【００３８】
一方、ＣＦ基板４１には、図５に示すように、透明な（透光性を有する）ガラス基板４１ａの内面側（液晶層４３側、アレイ基板４２との対向面側）に、各画素に対応した位置にカラーフィルタを構成する多数個の着色層５１が並んで設けられている。カラーフィルタは、Ｒ（赤色），Ｇ（緑色），Ｂ（青色）の３色の着色層５１が交互に並ぶ配置とされる。カラーフィルタを構成する各着色層５１間には、混色を防ぐためのブラックマトリクス５２が形成されている。着色層５１及びブラックマトリクス５２の表面には、アレイ基板４２側の画素電極４５と対向する対向電極５３が設けられている。また、対向電極５３の表面には、液晶層４３を配向するための配向膜５４が形成されている。また、両基板４１，４２の外面側（液晶層４３とは反対側）には、それぞれ表裏一対の偏光板５５ａ，５５ｂが貼り付けられている。
【００３９】
次に、液晶パネル１１の端部及びその周辺部の構成について、図７及び図８を用いて詳しく説明する。図７はバックライト装置の非作動時における液晶パネルの端部及びその周縁部の構成を示す断面図、図８はバックライト装置の作動時における液晶パネルの端部及びその周縁部の構成を示す断面図である。
【００４０】
液晶パネル１１の端部には、両基板４１，４２間に介在し、液晶層４３の周りを取り囲んでこれを封止する（液密状態を保つ）シール部５６が設けられている。シール部５６は、加熱することで硬化する熱硬化性樹脂材料や、光（紫外線又は可視光線）を照射することで硬化する光硬化性樹脂材料などのシール材料からなる。
【００４１】
さらに、ＣＦ基板４１には、シール部５６の内側（液晶層４３側）に沿って、遮光膜（遮光部）５７が形成されている。遮光膜５７は、黒色を呈する樹脂製、あるいは金属製の薄膜層とされ、バックライト装置１２から照射された光を遮る機能を有する。
【００４２】
上記したシール部５６及び遮光膜５７は光を透過しないもの（非透光性）とされるため、これらが配された液晶パネル１１の端部においては、バックライト装置１２から供給された光が透過されず、画像を表示することができない非表示領域ＮＡを形成することとなる。この非表示領域ＮＡは液晶パネル１１の外縁部に沿った額縁状とされ、当該非表示領域ＮＡより内側の部位が画像を表示可能な表示領域ＡＡとされる。すなわち、遮光膜５７は表示領域ＡＡの外周部に配されてなり、遮光膜５７のうち表示領域ＡＡ側の端部たる内縁部５７ａは、表示領域ＡＡと非表示領域ＮＡとを画する位置に配されていることとなる。一方、遮光膜５７のうち内縁部５７ａとは反対側の端部たる外縁部５７ｂは、シール部５６と接触しており、両者の間から光が透過しないものとされている。なお、遮光膜５７が形成されたＣＦ基板４１（ガラス基板４１ａ）は、概ねガラス製とされ、表示領域ＡＡ面方向の線膨張係数α２が３．８ｐｐｍ／℃とされる。
【００４３】
かかる液晶パネル１１は、その周縁部が樹脂製のフレーム１６に載置され、当該液晶パネル１１の周縁部を覆う形で配される額縁状のベゼル１３との間で挟まれることで略固定されている。ベゼル１３は、図３及び図４に示すように、液晶パネル１１の表示領域ＡＡ面に沿って延びる第１板状部１３ａと、第１板状部１３ａの外縁から液晶表示装置１０の厚さ方向に折り曲げられた第２板状部１３ｂとからなる略Ｌ字状の断面を有している。このベゼル１３は、液晶表示装置１０の最外部に位置して、第１板状部１３ａがネジ部材２２によりフレーム１６及びシャーシ１４と螺合されることで、液晶パネル１１とバックライト装置１２とを一体的に保持する機能を有する。当該ベゼル１３は、アルミ製とされ、表示領域ＡＡ面方向の線膨張係数α１が２３．８ｐｐｍ／℃とされ、ＣＦ基板４１（ガラス基板４１ａ）の線膨張係数α２より大きいものとされている。なお、本実施形態ではベゼル１３をアルミ製としたが、強度付与の観点から金属材料からなるものを選択することが好適であり、例えばＳＵＳ製としても良い。ＳＵＳ製のベゼルとした場合、表示領域ＡＡ面方向の線膨張係数は１０．４ｐｐｍ／℃とされる。
【００４４】
ベゼル１３のうち表示領域ＡＡ側の端部たる内側端部１３ｃは、バックライト装置１２の非作動時、すなわち液晶パネル１１にバックライト装置１２から光が供給されておらず当該液晶表示装置１０全体として相対的に低温（およそ０℃〜２０℃）となっている状態では、図７に示すように、遮光膜５７の内縁部５７ａよりさらに表示領域ＡＡ側に位置する形とされている。なお、ベゼル１３の内側端部１３ｃには、その位置を示す信号を発信する位置センサ（位置検出部）６０が設けられており、当該位置センサ６０から発信された信号が、有線又は無線にて、制御基板３１に形成された位置読取回路（位置検出部）６１（図７では図示せず）に受信されることでベゼル１３の内側端部１３ｃの位置が検出可能とされている。
【００４５】
バックライト装置１２が作動され、液晶パネル１１にバックライト装置１２から光が供給されると、当該液晶表示装置１０の温度が徐々に上昇していく。この液晶表示装置１０の温度上昇に伴い、ベゼル１３及びＣＦ基板４１（液晶パネル１１）は面方向外側（図７中、左方向）へ熱変形（熱膨張）を生じる。ここで、ベゼル１３の線膨張係数α１は、ＣＦ基板４１（ガラス基板４１ａ）の線膨張係数α２より大きいものとされているため、ベゼル１３はＣＦ基板４１に比してより外側へ移動（変位）する。このとき、ベゼル１３はアルミ製ゆえ非透光性とされるため、表示領域ＡＡのうち当該ベゼル１３の第１板状部１３ａに覆われた部分では、バックライト装置１２から供給された光が透過されず、画像を表示することができないこととなる。すなわち、表示領域ＡＡのうち、ベゼル１３に覆われた部分は画像を視認することができない部分となり、当該部分を除く中央部（表示可能領域ＢＡ）において画像を視認することができる。
【００４６】
バックライト装置１２の作動を続け、当該液晶表示装置１０全体として相対的に高温（およそ２０℃〜５０℃）となると、ベゼル１３と、ＣＦ基板４１に形成された遮光膜５７との相対的な位置関係は図８に示すようになる。すなわち、ベゼル１３の内側端部１３ｃは、遮光膜５７の内縁部５７ａより外側（表示領域ＡＡとは反対側）で、かつ遮光膜５７の外縁部５７ｂより内側（表示領域ＡＡ側）に位置することとなり、ベゼル１３と遮光膜５７とがそれぞれの一部で重畳した状態となる。その結果、表示領域ＡＡ全体において画像が視認可能となり、上記した表示可能領域ＢＡと表示領域ＡＡとが一致することとなる。
【００４７】
次に、上記したベゼル１３の内側端部１３ｃと遮光膜５７の内縁部５７ａとの相対的な位置関係に基づき画像の表示を制御する構成例について図９を用いて説明する。図９は液晶表示装置の表示制御機能の構成を示すブロック図である。なお、図９中、位置読取回路６１、映像制御回路６２、及び映像メモリ６３は、シャーシ１４の裏面側に取り付けられた制御基板３１上に形成されている。
【００４８】
位置センサ６０は、上述したように、ベゼル１３の内側端部１３ｃに設置され、常時その位置を検出して、位置信号Ｓ１を位置読取回路６１に出力する。
【００４９】
位置読取回路６１は、位置センサ６０から出力された位置信号Ｓ１に基づいて、ベゼル１３と遮光膜５７との相対的な位置関係を読み取る。このとき、ベゼル１３の内側端部１３ｃが遮光膜５７の内縁部５７ａより表示領域ＡＡ側に位置している場合には、ベゼル１３が表示領域ＡＡ側にはみ出している大きさ、すなわち表示領域ＡＡのうちベゼル１３に覆われている部分を特定して、読取領域信号Ｓ２を映像制御回路６２に出力する。
【００５０】
映像制御回路６２は、位置読取回路６１から出力された読取領域信号Ｓ２に基づいて、表示領域ＡＡのうちベゼル１３と重畳している部分、つまり重複している画素（図４及び図５に示す画素電極４５が３個で１画素を形成）では黒表示し、それ以外の部分では映像メモリ６３から出力された映像信号Ｓ３に基づく画像を表示する旨の映像制御信号Ｓ４を生成する。また、位置読取回路６１から読取領域信号Ｓ２が出力されない場合には、表示領域ＡＡにおいて映像信号Ｓ３に基づく画像を表示する旨の映像制御信号Ｓ４を生成する。そして、映像制御信号Ｓ４を液晶パネル１１に出力して、液晶パネル１１の画像表示を制御する。
【００５１】
続いて、本実施形態における表示制御時の動作について図１０を用いて説明する。図１０は制御基板３１が行う表示制御フローのチャートを示す説明図である。
まず、位置センサ６０により検出されたベゼル１３の内側端部１３ｃの位置が、位置信号Ｓ１として位置読取回路６１に入力される（ステップＳ１０）。
【００５２】
ここで、位置読取回路６１は、位置信号Ｓ１に基づき、ベゼル１３の内側端部１３ｃと、遮光膜５７の内縁部５７ａとの相対的な位置関係を読み取る（ステップＳ１１）。このとき、ベゼル１３の内側端部１３ｃが、遮光膜５７の内縁部５７ａより表示領域ＡＡ側に位置している場合には（ステップＳ１１；ＹＥＳ）、表示領域ＡＡのうちベゼル１３と重畳している部分（画素）を特定する（ステップＳ１２）。
【００５３】
さらに、映像制御回路６２において、表示領域ＡＡのうちベゼル１３と重畳している部分では映像信号Ｓ３に拘らず黒表示することを決定し（ステップＳ１３）、それ以外の部分では映像信号Ｓ３に基づいて通常通りの画像を表示する旨の映像制御信号Ｓ４を発信して（ステップＳ１４）、液晶パネル１１の表示制御を行う。
【００５４】
他方、ベゼル１３の内側端部１３ｃが、遮光膜５７の内縁部５７ａより外側（表示領域ＡＡとは反対側）に位置している場合には（ステップＳ１１；ＮＯ）、位置読取回路６１は信号を発信せず、映像制御回路６２は映像信号Ｓ３に基づいて通常通りの画像を表示する旨を決定し（ステップＳ１５）、映像制御信号Ｓ４を発信して（ステップＳ１４）、液晶パネル１１の表示制御を行う。
【００５５】
以上説明したように、本実施形態に係る液晶表示装置１０によれば、バックライト装置１２の非作動時には、非透光性のベゼル１３の内側端部１３ｃが液晶パネル１１に形成された遮光膜５７の内縁部５７ａより表示領域ＡＡ側に位置してなるものとされている。さらに、バックライト装置１２の作動時には、ベゼル１３の内側端部１３ｃが遮光膜５７の内縁部５７ａと外縁部５７ｂとの間、すなわち外縁部５７ｂより表示領域ＡＡ側に位置するものとされている。
【００５６】
このような構成によれば、バックライト装置１２の非作動・作動に伴う当該液晶表示装置１０の温度変化に拘らず、遮光膜５７とベゼル１３とが互いに重畳する部分を有するものとされているため、これらが重畳して設けられた部分では、遮光膜５７とベゼル１３とにより光の進路が遮られることとなり、液晶パネル１１において、バックライト装置１２から供給される光の意図しない光漏れを抑止することが可能となる。
【００５７】
バックライト装置１２の作動時には、当該液晶表示装置１０全体が高温となるため、ベゼル１３の線膨張係数α１と、ＣＦ基板４１の線膨張係数α２とが異なる値とされた場合には、ベゼル１３とＣＦ基板４１との変形量（延出量）が異なるため、両者の相対的な位置関係にずれが生じることとなる。特に、本実施形態のように、ベゼル１３の線膨張係数α１が、ＣＦ基板４１の線膨張係数α２より大きいものとされる場合には、表示領域ＡＡ面において、ベゼル１３がＣＦ基板４１より大きく外側に変形することとなる。これにより、ベゼル１３がＣＦ基板４１に形成された遮光膜５７より外側（表示領域ＡＡとは反対側）に移動（変位）してしまい、互いに重畳する部分をもたない状態となる場合がある。すなわち、ベゼル１３の内側端部１３ｃが、遮光膜５７の外縁部５７ｂよりも外側に位置した状態となり、平面視した場合に両者の間に空隙が形成され得る。その結果、液晶パネル１１において、バックライト装置１２から供給された光が、当該空隙から漏れて輝点として視認されるため、当該液晶表示装置１０の表示品質を低下させることがある。
【００５８】
かかる事態を解消するために、仮に遮光膜５７を十分に大きく（幅広に）すると、液晶パネル１１の非表示領域ＮＡが相対的に大きくなり（広額縁化）、表示領域ＡＡが相対的に小さいものとなるため好ましくない。逆に遮光膜５７を大きくしつつ所定の表示領域ＡＡを確保するためには、相対的に大きい液晶パネル１１が必要となるため、当該液晶表示装置１０のコストが増大してしまう。また、遮光膜５７を相対的に大きくして、バックライト装置１２の作動時において最高温度となる時にベゼル１３の内側端部１３ｃが遮光膜５７の外縁部５７ｂの位置と一致するものとすれば、液晶パネル１１の広額縁化をできる限り抑制することが可能となるものの、このような構成は、設計の誤差、或いは迷光の確実な遮光ができないことに起因する光漏れを許容するおそれがある。
【００５９】
しかしながら、本実施形態の構成によれば、バックライト装置１２の非作動時又は作動直後のように、液晶表示装置１０が相対的に低温とされる場合には、ベゼル１３の内側端部１３ｃが、遮光膜５７の内縁部５７ａより表示領域ＡＡ側に位置してなるものとされている。このような構成によれば、遮光膜５７を相対的に大きくすることなく、すなわち非表示領域ＮＡの狭額縁化により表示領域ＡＡを可能な限り大きく確保しつつ、液晶パネル１１における光漏れを抑止することが可能となる。ここで、表示領域ＡＡとベゼル１３とが重なる部分においては表示画像が視認されないものの、バックライト装置１２を作動させて当該液晶表示装置１０が高温となるまでの時間は僅かな時間であり、表示品質への影響は小さいものと考えられる。
【００６０】
さらに、当該液晶表示装置１０の使用時、つまりバックライト装置１２が作動することで相対的に高温となり、ベゼル１３と、ＣＦ基板４１との線膨張係数α１、α２の差に起因する両者の相対的な位置のずれが生じた場合にも、ベゼル１３の内側端部１３ｃが少なくとも遮光膜５７の外縁部５７ｂより表示領域ＡＡ側に位置してなるものとした。これにより、遮光膜５７とベゼル１３とは、当該液晶表示装置１０の温度に拘らず、常に互いに重畳する部分を有してなるため、バックライト装置１２からの光を遮光膜５７又はベゼル１３により遮光することができる。また、遮光膜５７を回り込む迷光に対しても、遮光膜５７にその一部が重畳してなるベゼル１３により迷光の進路が遮られるため、迷光が外へ漏れることはない。したがって、視認者に輝点として視認される光漏れを抑止することができ、高い表示品質を実現することが可能となる。
【００６１】
また、本実施形態では、ベゼル１３の内側端部１３ｃが遮光膜５７の内縁部５７ａより表示領域ＡＡ側に位置している場合には、表示領域ＡＡのうちベゼル１３と重畳した部分を黒表示するものとされている。
ベゼル１３の内側端部１３ｃが遮光膜５７の内縁部５７ａより表示領域ＡＡ側に位置している場合、表示領域ＡＡの端部（周縁部）はベゼル１３により覆われた状態となる。このとき、表示領域ＡＡの端部に画像を表示すると、特に明度の大きい色で表示された場合に、表示領域ＡＡとベゼル１３との境界に線状模様が出現して表示品質を低下させる場合がある。しかしながら、本実施形態の構成によれば、表示領域ＡＡのうちベゼル１３と重畳する部分を黒表示させるものとされているため、上記した線状模様の出現を防止することができ、高い表示品質を実現することが可能となる。
【００６２】
また、本実施形態に係る液晶表示装置１０は、ベゼル１３の内側端部１３ｃの位置を検出する位置センサ６０を備えるものとされている。
このように、位置センサ６０を設けることにより、ベゼル１３の内側端部１３ｃの位置を特定することができ、当該内側端部１３ｃが遮光膜５７の内縁部５７ａより表示領域ＡＡ側に位置することが検出された場合には、その検出結果に基づき、液晶パネル１１の画像表示を制御することが可能となる。
【００６３】
また、本実施形態では、ベゼルの線膨張係数α１は２３．８ｐｐｍ／℃とされ、ＣＦ基板４１の線膨張係数α２である３．８ｐｐｍ／℃より大きいものとされている。
当該液晶表示装置１０の使用時に、ベゼル１３が遮光膜５７より外側に変位することで両者の間に空隙が生じ易く、その結果、光漏れが生じ易くなる。そこで、線膨張係数α１、α２の大小関係が上記のようにされた場合、特に両者の線膨張係数α１、α２の差が５ｐｐｍ／℃以上とされた場合に、本実施形態のようなベゼル１３と、遮光膜５７との相対的な位置関係とすることにより、光漏れを好適に抑止することが可能となる。
【００６４】
＜実施形態２＞
次に、本発明の実施形態２を図１１及び図１２によって説明する。この実施形態２では、ベゼルが表示領域の端部を覆った場合の表示態様の制御を変更したものを示し、その他は前記実施形態と同様である。前記実施形態と同一部分には、同一符号を付して重複する説明を省略する。
図１１は本実施形態に係る液晶表示装置の表示制御機能の構成を示すブロック図である。なお、図１１中、位置読取回路７１、映像制御回路７２、及び映像メモリ６３は、シャーシ１４の裏面側に取り付けられた制御基板３１-Ａ上に形成されている。
【００６５】
位置センサ６０は、上述したように、ベゼル１３の内側端部１３ｃに設置され、常時その位置を検出して、位置信号Ｓ１を位置読取回路７１に出力する。
【００６６】
位置読取回路７１は、位置センサ６０から出力された位置信号Ｓ１に基づいて、ベゼル１３と遮光膜５７との相対的な位置関係を読み取る。ベゼル１３の内側端部１３ｃが遮光膜５７の内縁部５７ａより表示領域ＡＡ側に位置している場合には、表示領域ＡＡのうちベゼル１３に覆われていない部分（表示可能領域ＢＡ）の面積を読み取り、当該表示可能領域ＢＡの表示領域ＡＡに対する大きさの比率（縮小率）を求める。そして、この縮小率が設定された読取縮小率信号Ｓ５を生成し、映像制御回路７２に出力する。
【００６７】
映像制御回路７２は、位置読取回路７１から出力された読取縮小率信号Ｓ５に基づいて、映像メモリ６３から出力された映像信号Ｓ３の画像を縮小表示（スケーリング）する旨の映像制御信号Ｓ４′を生成する。また、位置読取回路７１から読取縮小率信号Ｓ５が出力されない場合には、表示領域ＡＡにおいて映像信号Ｓ３に基づく画像を表示する旨の映像制御信号Ｓ４′を生成する。そして、映像制御信号Ｓ４′を液晶パネル１１に出力して、液晶パネル１１の画像表示を制御する。
【００６８】
続いて、本実施形態における表示制御時の動作について図１２を用いて説明する。図１２は制御基板３１-Ａが行う表示制御フローのチャートを示す説明図である。
まず、位置センサ６０により検出されたベゼル１３の内側端部１３ｃの位置が、位置信号Ｓ１として位置読取回路７１に入力される（ステップＳ２０）。
【００６９】
ここで、位置読取回路７１は、位置信号Ｓ１に基づき、ベゼル１３の内側端部１３ｃと、遮光膜５７の内縁部５７ａとの相対的な位置関係を読み取る（ステップＳ２１）。このとき、ベゼル１３の内側端部１３ｃが、遮光膜５７の内縁部５７ａより表示領域ＡＡ側に位置している場合には（ステップＳ２１；ＹＥＳ）、表示可能領域ＢＡの面積を読み取り、当該表示可能領域ＢＡの表示領域ＡＡに対する大きさの比率（縮小率）を求める（ステップＳ２２）。
【００７０】
さらに、映像制御回路７２において、上記縮小率に従って映像信号Ｓ３の画像を縮小して表示可能領域ＢＡに表示する旨を決定して（ステップＳ２３）、その表示画像が設定された映像制御信号Ｓ４′を発信して（ステップＳ２４）、液晶パネル１１の表示制御を行う。
【００７１】
他方、ベゼル１３の内側端部１３ｃが、遮光膜５７の内縁部５７ａより外側（表示領域ＡＡとは反対側）に位置している場合には（ステップＳ２１；ＮＯ）、位置読取回路７１は信号を発信せず、映像制御回路７２は映像信号Ｓ３に基づいて通常通りの画像を表示領域ＡＡに表示する旨を決定し（ステップＳ２５）、映像制御信号Ｓ４′を発信して（ステップＳ２４）、液晶パネル１１の表示制御を行う。
【００７２】
以上説明したように、本実施形態に係る液晶表示装置１０によれば、位置センサ６０によりベゼル１３の内側端部１３ｃが、遮光膜５７の内縁部５７ａより表示領域ＡＡ側に位置していると検出された場合には、表示領域ＡＡのうちベゼル１３と重畳した部分を除いた表示可能領域ＢＡにおいて表示可能な大きさに画像を縮小して表示するものとされている。
このような構成によれば、表示領域ＡＡの端部にベゼル１３が重畳する場合にも、表示領域ＡＡに比して、これとベゼル１３とが重畳した部分の面積分小さくなる表示可能領域ＢＡにおいて、もとの画像の端部を欠くことなく、画像全体を表示することが可能となる。
【００７３】
＜実施形態３＞
次に、本発明の実施形態３を図１３及び図１４によって説明する。前記実施形態１との相違は、ベゼルの位置の検出手段として、位置センサを設ける代わりに温度センサ及び位置計算回路を設けるところにあり、その他は前記実施形態１と同様である。前記実施形態１と同一部分には、同一符号を付して重複する説明を省略する。
図１３は本実施形態に係る液晶表示装置の表示制御機能の構成を示すブロック図である。なお、図１３中、温度センサ８０、位置計算回路８１、映像制御回路６２、及び映像メモリ６３は、シャーシ１４の裏面側に取り付けられた制御基板３１-Ｂ上に形成されている。
【００７４】
温度センサ（温度検出部）８０は、常時その周囲の温度を検出して、当該検出温度Ｔが設定された温度信号Ｓ６を位置計算回路８１に出力する。
【００７５】
位置計算回路（位置計算部）８１は、予めベゼル１３の線膨張係数α１と、遮光膜５７が形成されたＣＦ基板４１の線膨張係数α２が入力されており、温度センサ８０から出力された温度信号Ｓ６に基づいて、ベゼル１３及びＣＦ基板４１の変形量を計算する。この両者の変形量の差異から、ベゼル１３と遮光膜５７との相対的な位置関係を特定する。このとき、ベゼル１３の内側端部１３ｃが遮光膜５７の内縁部５７ａより表示領域ＡＡ側に位置していると計算された場合には、変形量の差異によりベゼル１３が表示領域ＡＡ側にはみ出していると計算される大きさ、すなわち表示領域ＡＡのうちベゼル１３に覆われている部分を計算より求め、計算領域信号Ｓ７を映像制御回路６２に出力する。
【００７６】
映像制御回路６２は、位置計算回路８１から出力された計算領域信号Ｓ７に基づいて、表示領域ＡＡのうちベゼル１３と重畳している部分、つまり重複している画素（図４及び図５に示す画素電極４５が３個で１画素を形成）では黒表示し、それ以外の部分では映像メモリ６３から出力された映像信号Ｓ３に基づく画像を表示する旨の映像制御信号Ｓ４を生成する。また、位置計算回路８１から計算領域信号Ｓ７が出力されない場合には、表示領域ＡＡにおいて映像信号Ｓ３に基づく画像を表示する旨の映像制御信号Ｓ４を生成する。そして、映像制御信号Ｓ４を液晶パネル１１に出力して、液晶パネル１１の画像表示を制御する。
【００７７】
続いて、本実施形態における表示制御時の動作について図１４を用いて説明する。図１４は制御基板３１-Ｂが行う表示制御フローのチャートを示す説明図である。
まず、温度センサ８０により検出された検出温度Ｔが、温度信号Ｓ６として位置計算回路８１に入力される（ステップＳ３０）。
【００７８】
ここで、位置計算回路８１は、予め入力されたベゼル１３の線膨張係数α１及び遮光膜５７が形成されたＣＦ基板４１の線膨張係数α２と、温度信号Ｓ６とに基づき、ベゼル１３及びＣＦ基板４１のそれぞれの変形量を算出する（ステップＳ３１）。この両者の変形量の差異から、ベゼル１３と遮光膜５７との相対的な位置関係を特定する（ステップＳ３２）。このとき、ベゼル１３の内側端部１３ｃが、遮光膜５７の内縁部５７ａより表示領域ＡＡ側に位置していると計算された場合には（ステップＳ３２；ＹＥＳ）、表示領域ＡＡのうちベゼル１３と重畳している部分（画素）を特定する（ステップＳ３３）。
【００７９】
さらに、映像制御回路６２において、表示領域ＡＡのうちベゼル１３と重畳している部分では映像信号Ｓ３に拘らず黒表示することを決定し（ステップＳ３４）、それ以外の部分では映像信号Ｓ３に基づいて通常通りの画像を表示する旨の映像制御信号Ｓ４を発信して（ステップＳ３５）、液晶パネル１１の表示制御を行う。
【００８０】
他方、ベゼル１３の内側端部１３ｃが、遮光膜５７の内縁部５７ａより外側（表示領域ＡＡとは反対側）に位置していると計算された場合には（ステップＳ３２；ＮＯ）、位置計算回路８１は信号を発信せず、映像制御回路６２は映像信号Ｓ３に基づいて通常通りの画像を表示する旨を決定し（ステップＳ３６）、映像制御信号Ｓ４を発信して（ステップＳ３５）、液晶パネル１１の表示制御を行う。
【００８１】
以上説明したように、本実施形態に係る液晶表示装置１０は、温度センサ８０を備え、さらに当該温度センサ８０により検出された検出温度Ｔとベゼル１３の線膨張係数α１及びＣＦ基板４１の線膨張係数α２とからベゼル１３の内側端部１３ｃの位置を計算する位置計算回路８１を備えるものとされている。
このような構成によれば、位置計算回路８１に予めベゼル１３の線膨張係数α１及びＣＦ基板４１の線膨張係数α２を入力しておくことで、温度センサ８０により検出された検出温度Ｔに基づいて、ベゼル１３及びＣＦ基板４１の変形量を算出して、ベゼル１３の内側端部１３ｃの位置を計算により特定することができる。このとき、当該内側端部１３ｃが遮光膜５７の内縁部５７ａより表示領域ＡＡ側に位置することが特定された場合には、その検出結果に基づき、液晶パネル１１の画像表示を制御することが可能となる。
【００８２】
特に、本実施形態では、温度センサ８０及び位置計算回路８１により、ベゼル１３の内側端部１３ｃが遮光膜５７の内縁部５７ａより表示領域ＡＡ側に位置していると計算された場合には、映像制御回路６２により、表示領域ＡＡのうちベゼル１３と重畳した部分を黒表示するものとされている。
このように、表示領域ＡＡのうちベゼル１３と重畳した部分を黒表示する表示制御を行うことにより、表示領域ＡＡとベゼル１３との境界における線状模様の出現を防止することができ、高い表示品質を実現することが可能となる。特に、本実施形態では、温度センサ８０、位置計算回路８１、及び黒表示を決定する映像制御回路６２を同一基板上（制御基板３１-Ｂ）に形成するものとしているため、簡便な構成で表示制御を行うことが可能となる。
【００８３】
＜実施形態４＞
次に、本発明の実施形態４を図１５及び図１６によって説明する。この実施形態４では、ベゼルの位置検出手段及び表示の制御構成を変更したものを示し、その他は前記実施形態１と同様である。前記実施形態１と同一部分には、同一符号を付して重複する説明を省略する。
図１５は本実施形態に係る液晶表示装置の表示制御機能の構成を示すブロック図である。なお、図１５中、温度センサ８０、位置計算回路９１、映像制御回路７２、及び映像メモリ６３は、シャーシ１４の裏面側に取り付けられた制御基板３１-Ｃ上に形成されている。
【００８４】
温度センサ（温度検出部）８０は、常時その周囲の温度Ｔを検出して、当該検出温度Ｔが設定された温度信号Ｓ６を位置計算回路９１に出力する。
【００８５】
位置計算回路（位置計算部）９１は、予めベゼル１３の線膨張係数α１と、遮光膜５７が形成されたＣＦ基板４１の線膨張係数α２が入力されており、温度センサ８０から出力された温度信号Ｓ６に基づいて、ベゼル１３及びＣＦ基板４１の変形量を計算する。この両者の変形量の差異から、ベゼル１３と遮光膜５７との相対的な位置関係を特定する。このとき、ベゼル１３の内側端部１３ｃが遮光膜５７の内縁部５７ａより表示領域ＡＡ側に位置していると計算された場合には、表示領域ＡＡのうちベゼル１３に覆われていない部分（表示可能領域ＢＡ）の面積を読み取り、当該表示可能領域ＢＡの表示領域ＡＡに対する大きさの比率（縮小率）を求める。そして、この縮小率が設定された計算縮小率信号Ｓ８を生成し、映像制御回路７２に出力する。
【００８６】
映像制御回路９２は、位置計算回路９１から出力された計算縮小率信号Ｓ８に基づいて、映像メモリ６３から出力された映像信号Ｓ３の画像を縮小表示（スケーリング）する旨の映像制御信号Ｓ４′を生成する。また、位置計算回路９１から計算縮小率信号Ｓ８が出力されない場合には、表示領域ＡＡにおいて映像信号Ｓ３に基づく画像を表示する旨の映像制御信号Ｓ４′を生成する。そして、映像制御信号Ｓ４′を液晶パネル１１に出力して、液晶パネル１１の画像表示を制御する。
【００８７】
続いて、本実施形態における表示制御時の動作について図１６を用いて説明する。図１６は制御基板３１-Ｃが行う表示制御フローのチャートを示す説明図である。
温度センサ８０により検出された検出温度Ｔが、温度信号Ｓ６として位置計算回路８１に入力される（ステップＳ４０）。
【００８８】
ここで、位置計算回路９１は、予め入力されたベゼル１３の線膨張係数α１及び遮光膜５７が形成されたＣＦ基板４１の線膨張係数α２と、温度信号Ｓ６とに基づき、ベゼル１３及びＣＦ基板４１のそれぞれの変形量を算出する（ステップＳ４１）。この両者の変形量の差異から、ベゼル１３と遮光膜５７との相対的な位置関係を特定する（ステップＳ４２）。このとき、ベゼル１３の内側端部１３ｃが、遮光膜５７の内縁部５７ａより表示領域ＡＡ側に位置していると計算された場合には（ステップＳ４２；ＹＥＳ）、表示可能領域ＢＡの面積を読み取り、当該表示可能領域ＢＡの表示領域ＡＡに対する大きさの比率（縮小率）を求める（ステップＳ４３）。
【００８９】
さらに、映像制御回路９２において、上記縮小率に従って映像信号Ｓ３の画像を縮小して表示可能領域ＢＡに表示する旨を決定して（ステップＳ４４）、その表示画像が設定された映像制御信号Ｓ４′を発信して（ステップＳ４５）、液晶パネル１１の表示制御を行う。
【００９０】
他方、ベゼル１３の内側端部１３ｃが、遮光膜５７の内縁部５７ａより外側（表示領域ＡＡとは反対側）に位置していると計算された場合には（ステップＳ４２；ＮＯ）、位置計算回路９１は信号を発信せず、映像制御回路９２は映像信号Ｓ３に基づいて通常通りの画像を表示領域ＡＡに表示する旨を決定し（ステップＳ４６）、映像制御信号Ｓ４′を発信して（ステップＳ４５）、液晶パネル１１の表示制御を行う。
【００９１】
以上説明したように、本実施形態に係る液晶表示装置１０は、温度センサ８０と、検出温度Ｔ、線膨張係数α１及びＣＦ基板４１の線膨張係数α２からベゼル１３の内側端部１３ｃの位置を計算する位置計算回路９１とを備える。当該位置計算回路９１により、ベゼル１３の内側端部１３ｃが遮光膜５７の内縁部５７ａより表示領域ＡＡ側に位置していると計算された場合には、表示領域ＡＡのうちベゼル１３と重畳した部分を除いた表示可能領域ＢＡにおいて表示可能な大きさに画像を縮小して表示するものとされている。
【００９２】
このような構成によれば、位置計算回路９１に予めベゼル１３の線膨張係数α１及びＣＦ基板４１の線膨張係数α２を入力しておくことで、温度センサ８０により検出された検出温度Ｔに基づいて、ベゼル１３及びＣＦ基板４１の変形量を算出して、ベゼル１３の内側端部１３ｃの位置を計算により特定することができる。このとき、表示領域ＡＡの端部にベゼル１３が重畳する場合には、もとの画像を縮小することにより、表示領域ＡＡに比して、これとベゼル１３とが重畳した部分の面積分小さくなる表示可能領域ＢＡにおいても、もとの画像の端部を欠くことなく画像全体を表示することが可能となる。
【００９３】
＜他の実施形態＞
以上、本発明の実施形態について示したが、本発明は上記記述及び図面によって説明した実施形態に限定されるものではなく、例えば次のような実施形態も本発明の技術的範囲に含まれる。
【００９４】
（１）上記した実施形態では、位置読取回路及び位置計算回路は、ベゼルの内側端部が遮光膜の内縁部より外側（表示領域ＡＡとは反対側）に位置するときは信号を出力しない構成としたが、その旨の信号を映像制御回路に出力する構成としても良い。
【００９５】
（２）上記した実施形態では、各センサ部（位置センサ又は温度センサ）は、常時位置又は温度を検出するものとしたが、常時検出しない構成としても良く、その検出タイミングは適宜設定可能である。また、ユーザーの操作に従って位置又は温度を検出する構成としても良い。
【００９６】
（３）上記した実施形態では、温度センサを制御基板上に配置する構成を例示したが、ベゼルとガラス基板（ＣＦ基板）との温度を概略検知できれば良く、例えば位置センサと同様に、ベゼル又は液晶パネルのＣＦ基板に配置する構成としても良い。
【００９７】
（４）上記した実施形態では、位置センサ、又は、温度センサ及び位置計算回路を設ける構成としたが、これら全てを設ける構成も本発明に含まれる。
【００９８】
（５）上記した実施形態では、ベゼルの材料としてアルミ或いはＳＵＳを例示したが、当該材料はこれに限られるものではない。ただし、本発明の構成は、ベゼルの線膨張係数が、遮光膜が形成された部材（ＣＦ基板）の線膨張係数より大きいものとされる場合に特にその効果を発揮する。
【００９９】
（６）上記した実施形態では、光源として冷陰極管を使用した場合を示したが、例えば熱陰極管など他の種類の光源を用いたものも本発明に含まれる。
【図面の簡単な説明】
【０１００】
【図１】本発明の実施形態１に係るテレビ受信装置の概略構成を示す分解斜視図。
【図２】図１のテレビ受信装置が備える液晶表示装置の概略構成を示す分解斜視図。
【図３】図２の液晶表示装置の短辺方向に沿った断面構成を示す断面図。
【図４】図２の液晶表示装置の長辺方向に沿った断面構成を示す断面図。
【図５】図２の液晶表示装置が備える液晶パネルの画面中央側部分の拡大断面図。
【図６】図５の液晶パネルに備わるアレイ基板の拡大平面図。
【図７】図２の液晶表示装置に備わるバックライト装置の非作動時における液晶パネルの端部及びその周縁部の構成を示す断面図。
【図８】図２の液晶表示装置に備わるバックライト装置の作動時における液晶パネルの端部及びその周縁部の構成を示す断面図。
【図９】図２の液晶表示装置の表示制御機能の構成を示すブロック図。
【図１０】図９の液晶表示装置に備わる制御基板が行う表示制御フローのチャートを示す説明図。
【図１１】本発明の実施形態２に係る液晶表示装置の表示制御機能の構成を示すブロック図。
【図１２】図１１の液晶表示装置に備わる制御基板が行う表示制御フローのチャートを示す説明図。
【図１３】本発明の実施形態３に係る液晶表示装置の表示制御機能の構成を示すブロック図。
【図１４】図１３の液晶表示装置に備わる制御基板が行う表示制御フローのチャートを示す説明図。
【図１５】本発明の実施形態４に係る液晶表示装置の表示制御機能の構成を示すブロック図。
【図１６】図１５の液晶表示装置に備わる制御基板が行う表示制御フローのチャートを示す説明図。
【符号の説明】
【０１０１】
１０…液晶表示装置（表示装置）、１１…液晶パネル（表示パネル）、１２…バックライト装置（照明装置）、１３…ベゼル、１３ｃ…ベゼルの内側端部、４１…ＣＦ基板（基板）、４２…アレイ基板（基板）、４３…液晶層、５７…遮光膜（遮光部）、５７ａ…遮光膜の内縁部、５７ｂ…遮光膜の外縁部、６０…位置センサ（位置検出部）、６１…位置読取回路（位置検出部）、８０…温度センサ（温度検出部）、８１…位置計算回路（位置計算部）、ＡＡ…表示領域、ＴＶ…テレビ受信装置
【図１】
2009229887.tif 000003
【図２】
2009229887.tif 000004
【図３】
2009229887.tif 000005
【図４】
2009229887.tif 000006
【図５】
2009229887.tif 000007
【図６】
2009229887.tif 000008
【図７】
2009229887.tif 000009
【図８】
2009229887.tif 000010
【図９】
2009229887.tif 000011
【図１０】
2009229887.tif 000012
【図１１】
2009229887.tif 000013
【図１２】
2009229887.tif 000014
【図１３】
2009229887.tif 000015
【図１４】
2009229887.tif 000016
【図１５】
2009229887.tif 000017
【図１６】
2009229887.tif 000018